(57)【要約】【課題】  コイルエンドに満遍なく冷却媒体を供給する。【解決手段】  電動機の冷却装置は、ステータ１０２の外周側に設けられ、ロータ１０６の方向と、ロータ１０６の方向と異なるステータ１０２の周方向とに分けて、ステータコイルエンド１０４にオイルを吐出する吐出口１１０を有するオイルパイプ１００を含む。ロータ１０６の方向と異なるステータ１０２の周方向のステータコイルエンド１０４に向けて吐出されるオイルの供給量は、ロータ１０６の方向のステータコイルエンド１０４に向けて吐出されるオイルの供給量よりも多い。【選択図】        図１
2005253263.tif 000002
【特許請求の範囲】
【請求項１】
ロータとステータとから構成される電動機のステータコイルエンドを冷却媒体により冷却する電動機の冷却装置であって、
前記ステータの外周側に設けられ、前記ロータの方向と、前記ロータの方向と異なるステータの周方向とに分けて、前記ステータコイルエンドに冷却媒体を吐出する吐出口を有する冷却媒体通路を含み、
前記ロータの方向と異なるステータの周方向の前記ステータコイルエンドに向けて吐出される前記冷却媒体の供給量は、前記ロータの方向の前記ステータコイルエンドに向けて吐出される前記冷却媒体の供給量よりも多い、電動機の冷却装置。
【請求項２】
前記吐出口は、前記ロータの方向の前記ステータコイルエンドに向けて設けられる開口部と、前記ロータの方向と異なるステータの周方向の前記ステータコイルエンドに向けて設けられる開口部とを含む、請求項１に記載の電動機の冷却装置。
【請求項３】
前記吐出口は、前記ロータの方向の前記ステータコイルエンドに向けて設けられる開口部と前記ロータの方向と異なるステータの周方向の前記ステータコイルエンドに向けて設けられる開口部とが連続して形成される形状を有する、請求項１に記載の電動機の冷却装置。
【請求項４】
前記ロータの方向と異なるステータの周方向の前記ステータコイルエンドに向けて設けられる開口部は、前記ロータの方向の前記ステータコイルエンドに向けて設けられる開口部よりも面積が小さい、請求項２または３に記載の電動機の冷却装置。
【請求項５】
前記吐出口は、前記電動機を収納する筐体内に設けられ、前記ステータコイルエンドの上方に配設される冷却媒体通路に設けられる、請求項１〜４のいずれかに記載の電動機の冷却装置。
【発明の詳細な説明】
【技術分野】
【０００１】
本発明は、電動機の冷却装置に関し、特に、電動機のステータコイルエンドに向けて冷却媒体を吐出する吐出口を有する冷却装置に関する。
【背景技術】
【０００２】
自動車等の車両に搭載されるモータや発電機は、回転子（ロータ）と、その周囲に配設されステータコイルが巻き付けられたステータコアとを有する。モータはステータコイルに通電して回転力を得て、発電機はロータの回転によりステータコイルに流れる電流を取り出す。そして、ロータ回転時にステータコイルに電流が流れると、ステータコアやステータコイルが発熱する。これらの発熱は、モータや発電機の内部を貫通する磁束に影響を与え、運転効率（回転効率、発電効率）を低下させる。運転効率を維持するため、モータや発電機を冷却する必要がある。
【０００３】
このようなモータや発電機は、ハウジングで覆われた形で車両に搭載される。したがって、モータや発電機の冷却には、このハウジング内に冷却液の通路を設け、通路内を通過する冷却液による冷却、すなわち液冷が適用されることが多い。このとき、電動機のステータコイルについての絶縁性は確保しておく必要があるため、冷却は、ハウジング内でステータコイルと非接触の部位に設けられた冷却液通路に冷却水を流す方法や、発熱部位近傍に絶縁性のある機械油等を流したり飛沫させたりする方法により行なわれる。機械油等の絶縁性の冷却液を用いる方法は、絶縁性を保持しつつハウジング内に冷却液通路を設ける必要がない。そのため、ハウジングを小型化することが可能である。また、この方法は、発熱部位の近傍に冷却液を供給できるため、冷却能力も大きい点で優れている。このような構造を含み、車両に搭載されるモータの発熱を抑えるための冷却に関する技術が、以下の公報に開示されている
たとえば、特開平８−１３０８５６号公報（特許文献１）は、油冷のモータにおいて、オイルポンプの吐出油量が少ない時でも、確実にステータコイルの冷却を行うモ−タの冷却回路を開示する。このモータの冷却回路は、ケ−スの周壁内側に固定され、内周に複数のスロットを形成された円筒状のコアと、コアの複数のスロットに巻かれたステータコイルと、コアの端部で円周方向に形成されたステータコイルエンドを有するステ−タと、ステ−タの半径方向内側に配置され、ケ−スに回転自在に支持されたロ−タとからなるモ−タと、オイルポンプと、オイルポンプから吐出される油をモ−タの上部に供給する供給油路とを有する。冷却回路は、噴射面と、噴射面に形成され、供給油路から供給される油を噴射する噴射口とを有する冷却油噴射部を備える。冷却油噴射部は、その噴射面の端部を隣接するケ−スの周壁内面に対して不連続に配置される。噴射面の端部は、ステータコイルエンドの上部に位置づけられる。
【０００４】
特許文献１に開示されるモータの冷却回路によると、オイルポンプの吐出油量が多いとき、供給油路から供給される油は、冷却油噴射部の噴射面に形成された噴射口から勢いよく噴射され、直接ステータコイルエンドへ供給される。また、オイルポンプの吐出油量が少ないとき、油は噴射口から勢いよく噴射されず、冷却油噴射部の噴射面を伝って下方へ流れる。しかしながら、噴射面の端部は、ケ−スの内壁と同一面にならないように不連続とされる。さらに、噴射面の端部がステータコイルエンド上部に位置している。そのため、油は噴射面の端部から滴となってステータコイルエンドに落下する。したがって、オイルポンプの吐出量が少ないときでも確実に油をステータコイルエンドへ供給することができる。
【特許文献１】特開平８−１３０８５６号公報
【発明の開示】
【発明が解決しようとする課題】
【０００５】
しかしながら、特許文献１に開示されるモータの冷却回路のように別々の供給油路にそれぞれ設けられた２ヶ所の噴射口から冷却油を供給する場合、図６（Ａ）および（Ｂ）に示すように、噴射口３０２，３０４は、冷却油がロータ３１０側に流れ込まないような位置にそれぞれ設けられる。これは、ロータ３１０側に大量に冷却油が流れ込むと、冷却油がその粘性によりロータ３１０の回転の抵抗となる、いわゆる引きずり損失が生じるからである。このとき、噴射口３０２，３０４から噴射された冷却油は、ステータ３０６に巻着されたステータコイルのステータコイルエンド３０８の周方向に沿って流れ落ちる。そのため、ステータコイルエンド３０８の上部において、冷却油が供給されない領域３００が生じる。その結果、ステータコイルエンド３０８の冷却性能が悪化するという問題があった。
【０００６】
本発明は、上述の課題を解決するためになされたものであって、その目的は、ステータコイルエンドに満遍なく冷却媒体を供給できる電動機の冷却装置を提供することである。
【課題を解決するための手段】
【０００７】
第１の発明に係る電動機の冷却装置は、ロータとステータとから構成される電動機のステータコイルエンドを冷却媒体により冷却する電動機の冷却装置である。電動機の冷却装置は、ステータの外周側に設けられ、ロータの方向と、ロータの方向と異なるステータの周方向とに分けて、ステータコイルエンドに冷却媒体を吐出する吐出口を有する冷却媒体通路を含む。ロータの方向と異なるステータの周方向のステータコイルエンドに向けて吐出される冷却媒体の供給量は、ロータの方向のステータコイルエンドに向けて吐出される冷却媒体の供給量よりも多い。
【０００８】
第１の発明によると、ステータの外周側に設けられ、ロータの方向と、ロータの方向と異なるステータの周方向とに分けて、ステータコイルエンドに冷却媒体を吐出する吐出口を有する冷却媒体通路を含む。ロータの方向と異なるステータの周方向のステータコイルエンドに向けて吐出される冷却媒体の供給量は、ロータの方向のステータコイルエンドに向けて吐出される冷却媒体の供給量よりも多い。たとえば、複数の開口部を有する吐出口において、ロータの方向のステータコイルエンドに向けて設けられる開口部の面積を、ロータの方向と異なるステータの周方向のステータコイルエンド向けて設けられる開口部の面積よりも小さくする。このとき、ロータの方向と異なるステータの周方向のステータコイルエンドに向けて吐出される冷却媒体の供給量は、ロータの方向のステータコイルエンドに向けて吐出される冷却媒体の供給量よりも多くなる。ロータの方向の冷却媒体の供給量を、ロータにおいて引きずり損失が生じない程度の量にすると、ロータにおいて引きずり損失を生じることなく、ステータコイルエンドの上部にも冷却媒体を供給することができる。その結果、ステータコイルエンドにおける冷却媒体の被覆率を向上させることができる。冷却媒体の被覆率を向上させることにより、ステータコイルエンドにおける冷却効率を向上させることができる。したがって、ステータコイルエンドに満遍なく冷却媒体を供給できる電動機の冷却装置を提供することができる。
【０００９】
第２の発明に係る電動機の冷却装置においては、第１の発明の構成に加えて、吐出口は、ロータの方向のステータコイルエンドに向けて設けられる開口部と、ロータの方向と異なるステータの周方向のステータコイルエンドに向けて設けられる開口部とを含む。
【００１０】
第２の発明によると、吐出口は、ロータの方向のステータコイルエンドに向けて設けられる開口部と、ロータの方向と異なるステータの周方向のステータコイルエンドに向けて設けられる開口部とを含む。これにより、ロータの方向と、ロータの方向と異なるステータの周方向とに分けて、ステータコイルエンドに冷却媒体を吐出する吐出口を形成することができる。そのため、ロータの方向の冷却媒体の供給量を、ロータにおいて引きずり損失を生じない程度の量にすると、ロータにおいて引きずり損失を生じることなく、コイルエンドの上部にも冷却媒体を供給することができる。その結果、コイルエンドにおける冷却媒体の被覆率を向上させることができる。
【００１１】
第３の発明に係る電動機の冷却装置においては、第１の発明の構成に加えて、吐出口は、ロータの方向のステータコイルエンドに向けて設けられる開口部とロータの方向と異なるステータの周方向のステータコイルエンドに向けて設けられる開口部とが連続して形成される形状を有する。
【００１２】
第３の発明によると、吐出口は、ロータの方向のステータコイルエンドに向けて設けられる開口部とロータの方向と異なるステータの周方向のステータコイルエンドに向けて設けられる開口部とが連続して形成される形状を有する。これにより、ロータの方向およびロータの方向と異なるステータの周方向の２方向にわたって、ステータコイルエンドに冷却媒体を吐出する吐出口を形成することができる。そのため、ロータの方向の冷却媒体の供給量を、ロータにおいて引きずり損失を生じない程度の量にすると、ロータにおいて引きずり損失を生じることなく、コイルエンドの上部にも冷却媒体を供給することができる。その結果、コイルエンドにおけるオイルの被覆率を向上させることができる。
【００１３】
第４の発明に係る電動機の冷却装置においては、第２または３の発明の構成に加えて、ロータの方向と異なるステータの周方向のステータコイルエンドに向けて設けられる開口部は、ロータの方向のステータコイルエンドに向けて設けられる開口部よりも面積が小さい。
【００１４】
第４の発明によると、ロータの方向と異なるステータの周方向のステータコイルエンドに向けて設けられる開口部は、ロータの方向のステータコイルエンドに向けて設けられる開口部よりも面積が小さい。これにより、ロータの方向の冷却媒体の供給量がロータにおいて引きずり損失を生じない程度の量になるように開口部の面積を設定すると、ロータにおいて引きずり損失を生じることなく、コイルエンドの上部にも冷却媒体を供給することができる。その結果、コイルエンドにおけるオイルの被覆率を向上させることができる。
【００１５】
第５の発明に係る電動機の冷却装置においては、第１〜４のいずれかの発明の構成に加えて、吐出口は、電動機を収納する筐体内に設けられ、ステータコイルエンドの上部に配設される冷却媒体通路に設けられる。
【００１６】
第５の発明によると、吐出口は、電動機を収納する筐体内に設けられ、ステータコイルエンドの上部に配設される冷却媒体通路に設けられる。これにより、冷却媒体通路にロータの方向と、ロータの方向と異なるステータの周方向とに分けてステータコイルエンドに冷却媒体を吐出する吐出口を設けることにより、２ヶ所の噴射口を別々の冷却媒体通路に設ける必要がなくなる。そのため、冷却媒体通路の構成を簡素にできるため、搭載位置の制約が少なく、さらに、部品点数を少なくすることができる。その結果、コストおよび重量の低減が図れる。
【発明を実施するための最良の形態】
【００１７】
以下、図面を参照しつつ、本発明の実施の形態に係る電動機の冷却装置について説明する。以下の説明では、同一の部品には同一の符号を付してある。それらの名称および機能も同じである。したがってそれらについての詳細な説明は繰り返さない。
【００１８】
本実施の形態に係る電動機の冷却装置は、たとえば、車両に搭載される電動機に適用される。電動機が搭載されている車両は、特に限定されるものではないが、たとえば、ハイブリッド車、電気自動車または、燃料電池車である。
【００１９】
＜第１の実施の形態＞
図１（Ａ）および（Ｂ）に示すように、本実施の形態に係る電動機の冷却装置を有する車両において、筐体１１４の内部には、ステータ１０２と、ロータ１０６と、オイルパイプ１００と、オイルポンプ１１２とが設けられる。
【００２０】
ステータ１０２は、本実施の形態においては、中空円筒形状を有するが、本発明は特にこれに限定されない。ステータ１０２は、筐体１１４に、たとえば、ボルト等の締結により固定される。ステータ１０２には、溝あるいは筒形状の複数のスロットを有する。複数のスロットには、ステータコイル１１６が巻着される。ステータコイル１１６が巻着されたステータ１０２は、ステータ１０２の回転軸と平行な方向に露出するステータコイル１１６の端部である、ステータコイルエンド１０４を有する。
【００２１】
ステータコイル１１６には、車両に搭載されるバッテリ（図示せず）からインバータ（図示せず）等を介して電力が供給される。ステータコイル１０４に供給される電力は、ＥＣＵ（Electronic Control Unit）（図示せず）により制御される。
【００２２】
ロータ１０６には、回転軸となるロータシャフト１０８が設けられる。ロータシャフト１０８は、筐体１１４に設けられるベアリング（図示せず）により回転自在に支持される。また、ロータ１０６の内部には、永久磁石が設けられる。なお、ロータ１０６の内部には、励磁電流の供給を受けて磁力を発生するロータコイルが設けられていてもよい。
【００２３】
オイルポンプ１１２は、本実施の形態においては、たとえば、筐体１１４内に設けられ、ロータ１０６の回転にともなって作動するギアポンプを用いるが、特に限定されるものではない。たとえば、筐体１１４の内部あるいは外部に設けられる電動ポンプであってもよい。
【００２４】
オイルパイプ１００は、筐体１１４の内部に配設される通路である。本実施の形態において、たとえば、オイルパイプ１００は、筐体１１４の内部に固定されるパイプである。
【００２５】
オイルパイプ１００の内部には、冷却媒体である機械油等のオイルが流れる。なお、冷却媒体は、絶縁性があれば、オイルに特に限定されるものではない。オイルパイプ１００の一方端は、吐出口１１０を有する。そして、オイルパイプ１００の他方端は、オイルポンプ１１２に接続される。
【００２６】
オイルパイプ１００が設けられる位置は、ステータ１０２の外周側でかつ筐体１１４の上方であれば特に限定されるものではないが、本実施の形態においては、ロータ１０６の回転軸のほぼ真上に設けられる。
【００２７】
オイルパイプ１００には、ステータコイルエンド１０４に向けてオイルを吐出する吐出口１１０が設けられる。吐出口１１０は、オイルパイプ１００からロータ１０６の方向と、ロータ１０６の方向と異なるステータ１０２の方向とに分けて、ステータコイルエンド１０４に冷却媒体であるオイルが供給できるような形状を有する。たとえば、本実施の形態において、吐出口１１０は、図２に示すように、オイルパイプ１００に設けられる吐出口１１０は、ロータ１０６の方向のステータコイルエンド１０４に向けて設けられる開口部２０２と、ロータ１０６の方向と異なるステータ１０２の周方向のステータコイルエンド１０４に向けて設けられる開口部２００，２０４とを有する。なお、ロータ１０６の方向およびロータ１０６の方向と異なるステータの周方向のステータコイルエンド１０４に向けて設けられる開口部の個数については特に限定されるものではない。
【００２８】
このとき、吐出口１１０は、開口部２０２の面積が開口部２００，２０４の面積よりも小さくなるように形成される。
【００２９】
以上のような構造に基づく、本実施の形態に係る電動機の冷却装置の動作について、図３（Ａ）および（Ｂ）を参照して説明する。
【００３０】
ＥＣＵによる制御を受けて車両に搭載されるバッテリからステータコイル１１６に供給された電力により、ステータ１０２において、磁界が発生する。発生した磁界によりロータ１０６は、回転力を得る。そして、ロータシャフト１０８を中心に回転する。
【００３１】
ロータシャフト１０８の回転にともなって、オイルポンプ１１２が作動する。このとき、オイルポンプ１１２は、筐体１１４内のステータ１０２の下部に溜まっているオイルを汲み上げる。
【００３２】
オイルポンプ１１２は、オイルパイプ１００にオイルを圧送する。吐出されたオイルは、オイルパイプ１００を通って吐出口１１０に到達する。吐出口１１０において、ロータ１０６の方向およびロータ１０６の方向と異なるステータ１０２の周方向のそれぞれのステータコイルエンド１０４に向けてオイルが吐出される。
【００３３】
このとき、ロータ１０６の方向と異なるステータ１０２の周方向のステータコイルエンド１０４に向けて吐出されたオイルは、ステータコイルエンド１０４の周方向に沿って、ステータ１０２の下部に流れ落ちる。オイルがステータコイルエンド１０４を流れ落ちる間に、ステータコイルエンド１０４からオイルへと熱が伝わる。
【００３４】
一方、ロータ１０６の方向のステータコイルエンド１０４に向けて吐出されたオイルは、ステータコイルエンド１０４の上部に接触する。このとき、ステータコイルエンド１０４からオイルへと熱が伝わる。ステータコイルエンド１０４に接触した後のオイルは、ステータ１０２の下部に流れ落ちる。吐出口１１０においては、開口部２０２の面積が開口部２００，２０４の面積よりも小さくなるように形成される。そのため、ロータ１０６の方向と異なるステータ１０２の周方向に向けて吐出されるオイルの供給量は、ロータ１０６の方向に向けて吐出されるオイルの供給量よりも多い。
【００３５】
ステータ１０２の下方に流れ落ちたオイルは、オイルポンプ１１２により汲み上げられて、再びオイルパイプ１００に圧送される。
【００３６】
以上のようにして、本実施の形態に係る電動機の冷却装置によると、ステータの外周側に設けられ、ロータの方向と、ロータの方向と異なるステータの周方向とに分けて、ステータコイルエンドにオイルを吐出する吐出口を有するオイルパイプを含む。ロータの方向と異なるステータの周方向のステータコイルエンドに向けて吐出されるオイルの供給量は、ロータの方向のステータコイルエンドに向けて吐出されるオイルの供給量よりも多い。複数の開口部を有する吐出口において、ロータの方向のステータコイルエンドに向けて設けられる開口部の面積を、ロータの方向と異なるステータの周方向のステータコイルエンド向けて設けられる開口部の面積よりも小さくする。このとき、ロータの方向と異なるステータの周方向のステータコイルエンドに向けて吐出されるオイルの供給量は、ロータの方向のステータコイルエンドに向けて吐出されるオイルの供給量よりも多くなる。ロータの方向のオイルの供給量を、ロータにおいて引きずり損失が生じない程度の量にすると、ロータにおいて引きずり損失を生じることなく、ステータコイルエンドの上部にもオイルを供給することができる。その結果、ステータコイルエンドにおけるオイルの被覆率を向上させることができる。オイルの被覆率を向上させることにより、ステータコイルエンドにおける冷却効率を向上させることができる。したがって、ステータコイルエンドに満遍なくオイルを供給できる電動機の冷却装置を提供することができる。
【００３７】
また、オイルパイプにロータの方向と、ロータの方向と異なるステータの周方向とに分けてステータコイルエンドにオイル体を吐出する吐出口を設けることにより、２ヶ所の噴射口を別々のオイル通路に設ける必要がなくなる。そのため、オイル通路の構成を簡素にできるため、搭載位置の制約が少なく、さらに、部品点数を少なくすることができる。その結果、コストおよび重量の低減が図れる。
【００３８】
なお、本実施の形態において、ロータ１０６の回転軸のほぼ真上にオイルパイプ１００を設けたが、特に限定されない。たとえば、オイルパイプ１００の搭載の都合でパイプの位置をロータ１０６の回転軸の真上に設けることができない場合においても、吐出口１１０に有する開口部２００，２０２，２０４の開口位置を変更することにより、ステータコイルエンド１０４の所望の位置にオイルを吐出することができる。
【００３９】
＜第２の実施の形態＞
以下、本発明の第２の実施の形態に係る電動機の冷却装置について説明する。
【００４０】
本実施の形態に係る電動機の冷却装置は、上述の第１の実施の形態に係る電動機の冷却装置と比較して、吐出口１１０に代えて吐出口１１０と形状の異なる吐出口１１８を含む。それ以外の構成は、上述の第１の実施の形態に係る電動機の冷却装置の構成と同じである。同じ構成については同じ参照符号を付している。それらの機能も同じである。したがって、それらについての詳細な説明はここでは繰り返さない。
【００４１】
図４に示すように、オイルパイプ１００に設けられる吐出口１１８は、ロータ１０６の方向のステータコイルエンド１０４に向けて設けられる開口部２１２と、ロータ１０６の方向と異なるステータ１０２の周方向のステータコイルエンド１０４に向けて設けられる開口部２１０，２１４とが連続して形成される形状を有する。
【００４２】
このとき、吐出口１１８は、ロータ１０６方向のステータコイルエンド１０４に向けて設けられる開口部２１２の面積がロータ１０６方向と異なるステータ１０２の周方向のステータコイルエンド１０４に向けて設けられる開口部２１０，２１４のいずれかの面積よりも小さくなるように形成される。
【００４３】
吐出口１１８は、図５（Ａ）に示すように、パイプ１００に円形状の開口部をたとえば、切削等の機械加工により形成される。そして、吐出口１１８は、円形状の開口部において径方向から挟むようにしてオイルパイプ１００に力を加えることにより、図５（Ｂ）に示すように、円形状の開口部の中央部を絞るように変形させて形成される。なお、吐出口１１８は、上述のような加工方法の他、切削等の機械加工により、図５（Ｂ）に示すような形状を直接的に形成してもよい。
【００４４】
以上のような構造に基づく、本実施の形態に係る電動機の冷却装置の動作については、上述の第１の実施の形態に係る電動機の冷却装置の動作と同様に、ＥＣＵによる制御を受けて車両に搭載されるバッテリからステータコイル１１６に供給された電力により、ステータ１０２において、磁界が発生する。発生した磁界によりロータ１０６は、回転力を得る。そして、ロータシャフト１０８を中心に回転する。
【００４５】
ロータシャフト１０８の回転にともなって、オイルポンプ１１２が作動する。このとき、オイルポンプ１１２は、筐体１１４内のステータ１０２の下部に溜まっているオイルを汲み上げる。
【００４６】
オイルポンプ１１２は、オイルパイプ１００にオイルを圧送する。吐出されたオイルは、オイルパイプ１００を通って吐出口１１８に到達する。吐出口１１８において、ロータ１０６の方向およびロータ１０６の方向と異なるステータ１０２の周方向のそれぞれのステータコイルエンド１０４に向けてオイルが吐出される。
【００４７】
このとき、ロータ１０６の方向と異なるステータ１０２の周方向のステータコイルエンド１０４に向けて吐出されたオイルは、ステータコイルエンド１０４の周方向に沿って、ステータ１０２の下部に流れ落ちる。オイルがステータコイルエンド１０４を流れ落ちる間に、ステータコイルエンド１０４からオイルへと熱が伝わる。
【００４８】
一方、ロータ１０６の方向のステータコイルエンド１０４に向けて吐出されたオイルは、ステータコイルエンド１０４の上部に接触する。このとき、ステータコイルエンド１０４からオイルへと熱が伝わる。ステータコイルエンド１０４に接触した後のオイルは、ステータ１０２の下部に流れ落ちる。吐出口１１８においては、開口部２１２の面積が開口部２１０，２１４の面積よりも小さくなるように形成される。そのため、ロータ１０６の方向と異なるステータ１０２の周方向に向けて吐出されるオイルの供給量は、ロータ１０６の方向に向けて吐出されるオイルの供給量よりも多い。
【００４９】
ステータ１０２の下方に流れ落ちたオイルは、オイルポンプ１１２により汲み上げられて、再びオイルパイプ１００に圧送される。
【００５０】
以上のようにして、本実施の形態に係る電動機の冷却装置によると、上述の第１の実施の形態に係る電動機の冷却装置が有する効果に加えて、以下の効果を有する。すなわち、本実施の形態において、吐出口の開口部を、ロータの方向と、ロータの方向と異なるステータの周方向との２方向にわたって連続して形成する。これにより、開口部を２方向に形成する場合と比較して、ステータコイルエンドに対して、より満遍なくオイルを供給することができる。
【００５１】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【００５２】
【図１】第１の実施の形態に係る電動機の冷却装置の概略の構成を示す図である。
【図２】第１の実施の形態に係る吐出口の形状を示す図である。
【図３】第１の実施の形態に係る吐出口から吐出したオイルの流れを示す図である。
【図４】第２の実施の形態に係る吐出口の形状を示す図である。
【図５】第２の実施の形態に係る吐出口の加工方法を示す図である。
【図６】従来の電動機の冷却装置の概略の構成を示す図である。
【符号の説明】
【００５３】
１００  オイルパイプ、１０２  ステータ、１０４  ステータコイルエンド、１０６  ロータ、１０８  ロータシャフト、１１０，１１８  吐出口、１１２  オイルポンプ、１１４  筐体、１１６  ステータコイル、２００，２０２，２０４，２１０，２１２，２１４  開口部、３００  領域、３０２，３０４  噴射口、３０６  ステータ、３０８  ステータコイルエンド、３１０  ロータ、３１２  ロータシャフト。
【図１】
2005253263.tif 000003
【図２】
2005253263.tif 000004
【図３】
2005253263.tif 000005
【図４】
2005253263.tif 000006
【図５】
2005253263.tif 000007
【図６】
2005253263.tif 000008